(57)【要約】  【課題】  容易に製造することができ、かつ、ロックピンを突出及び収納刺せた状態に維持することができる仮設足場用継ぎ手を提供する。  【解決手段】  仮設足場用継ぎ手１は、第１の管体２に設けられたほぞ部２ｂと、前記ほぞ部２ｂに外挿することで第１の管体２と接続する第２の管体３と、前記ほぞ部２ｂ及び第２の管体３に設けられた貫通孔５，６を貫通可能な係止部１２を有し管内に収納されるロックピン１０を備える。前記ロックピン１０は、帯状板材を中間部で折り曲げて脚片１１ｂが形成され、前記脚片１１ｂに前記係止部１２を外側に突設したバネ板１１と、外側に向けて突設されたシフトノブ１３とを備え、前記第１の管体２は、前記シフトノブ１３を挿通可能な長孔７を備える。【選択図】  図１
2017180074.tif 000002
【特許請求の範囲】
【請求項１】
第１の管体に設けられたほぞ部と、前記ほぞ部に外挿することで第１の管体と接続される第２の管体とを、前記ほぞ部及び第２の管体に設けられた貫通孔を貫通可能な係止部を備え、前記第１の管内に収納されるロックピンを用いて連結する仮設足場用継ぎ手において、
前記ロックピンは、
帯状板材を折り曲げて形成され、前記係止部を前記ほぞ部の内壁側に押圧するバネ板と、
前記バネ板に外向きに突出するように設けられ、押圧により前記係止部を進退可能なシフトノブとを備え、
前記第１の管体は、前記シフトノブの外径寸法に対して大きく構成され前記シフトノブを挿通可能なノブ孔を備えることを特徴とする、仮設足場用継ぎ手。
【請求項２】
前記ノブ孔は、軸方向に長い長孔で構成されていることを特徴とする、請求項１に記載の仮設足場用継ぎ手。
【請求項３】
前記長孔は、前記係止部が貫通孔に挿入された状態で前記貫通孔側に隙間があるように構成されていることを特徴とする、請求項２に記載の仮設足場用継ぎ手。
【請求項４】
前記ロックピンのバネ板は、前記帯状板材を中間部でＵ字状に折り曲げて脚片が形成され、
前記係止部が前記脚片の先端近傍に設けられ、前記シフトノブが、前記脚片の前記係止部よりも基端側の位置に設けられており、
さらに、脚片の前記シフトノブよりも基端側の位置に補強部材が設けられていることを特徴とする、請求項１から３のいずれか１つに記載の仮設足場用継ぎ手。
【請求項５】
前記補強部材は、前記脚片に左右方向に突出して設けられた幅広部分を折り返すことにより構成された補強リブであることを特徴とする、請求項４に記載の仮設足場用継ぎ手。
【請求項６】
前記ロックピンの係止部は、前記ほぞ部の先端側の面が斜面に構成されていることを特徴とする、請求項１から５のいずれか１つに記載の仮設足場用継ぎ手。
【請求項７】
前記ロックピンの係止部は、前記バネ板と別部材により構成されていることを特徴とする、請求項１から６のいずれか１つに記載の仮設足場用継ぎ手。
【請求項８】
前記シフトノブは、前記ロックピンよりも突出量が大きくなるように構成されていることを特徴とする、請求項１から６のいずれか１つに記載の仮設足場用継ぎ手。
【請求項９】
前記シフトノブは、前記バネ板の中間部分を屈曲させて構成されていることを特徴とする、請求項１から７のいずれか１つに記載の仮設足場用継ぎ手。
【請求項１０】
前記バネ板は、前記帯状板材を中間部でＵ字状に折り曲げて脚片が形成され、少なくとも一方の脚片に前記係止部と前記シフトノブを備えることを特徴とする、請求項１から９のいずれか１つに記載の仮設足場用継ぎ手。
【請求項１１】
ほぞ部を有する第１の管体と前記ほぞ部に外挿する第２の管体との仮設足場用継ぎ手の前記ほぞ部内に収納されて用いられ、前記第１と第２の管体の抜け止めのためのロックピンにおいて、
帯状板材を中間部で折り曲げて脚片が形成されたバネ板と、
前記少なくとも１つの脚片に突設され、前記ほぞ部及び第２の管体に設けられた貫通孔を貫通可能な係止部と、
前記係止部が設けられた脚片に外側に向けて突設され、前記ほぞ部に設けられたノブ孔よりも小さく構成され、前記ノブ孔挿通可能なシフトノブとを備えることを特徴とする、ロックピン。
【発明の詳細な説明】
【技術分野】
【０００１】
本発明は、パイプ製の建枠を用いて建築や土木工事用の仮設足場を構築するため、建枠を上下に接続するために使用する仮設足場用継手に関し、特に、仮設足場用支柱の接続に使用される継ぎ手に関する。
【背景技術】
【０００２】
仮設足場の支柱の接続は、通常、一の支柱の先端に設けられたほぞ部に、他の支柱の根本部を嵌め込んだ後、ほぞ部及び根本部の側面に形成された連結孔にロックピンを差し込むことで、抜け止めとすることによって行われている。
【０００３】
このロックピンとして、多種多様なものが提案されているが、広く用いられているものの一例として、バネ板をＵ字状に折り曲げ、当該バネ板の端部近傍に外側に向けて突出したピン部を設けたものが知られている（特許文献１から３参照）。当該ロックピンは、係止部がほぞ部の連結孔を挿通するように連結具を一の支柱のほぞ部内に配置し、他の支柱の根本にも係止部を挿通させることで抜け止めする。一方、支柱を分離するときは係止部を径方向に押し込んで他の支柱の貫通孔から外し、その状態で他の支柱を引き抜く作業を行う。
【０００４】
特許文献１（実用新案登録第２５４１３４９号公報）は、コの字状に折り曲げた板バネの両端に周方向に傾斜面を有する係止部（ピン部材）を有しており、ほぞ部に外挿される他の支柱を軸周りに捻ることで、傾斜面に沿ってほぞ部内に係止部が押し込まれるため、他の支柱の連結孔から係止部が外れ分離させることができるロックピンが開示されている。
【０００５】
特許文献２（特開平１０-１８３９９０号公報）及び特許文献３（特開２００６−２０７５３５号公報）には、Ｕ字状に折り曲げた帯状板材の両端部分に幅方向に張り出した張り出し部分を設け、当該張り出し部分を折り曲げて係止部を構成したロックピンが開示されている。当該ロックピンは、板バネと係止部を一体的に構成しているため製造が容易であり、また、係止部が周方向に傾斜した傾斜面を有するため、特許文献１と同様に連結した支柱を回転させることで、係止部を他の支柱の連結孔から外し、分離させることができる。
【先行技術文献】
【特許文献】
【０００６】
【特許文献１】実用新案登録第２５４１３４９号公報
【特許文献２】特開平１０-１８３９９０号公報
【特許文献３】特開２００８−８０５２号公報
【特許文献４】特公昭３９−５３６号公報
【発明の概要】
【発明が解決しようとする課題】
【０００７】
しかし、仮設足場の支柱は、１本のパイプで構成されたものだけではなく、２本の支柱を水平材で連結した構成を有するピン付きブラケット、梁枠等も存在する。また、組み上げた足場の上方部分を全体として分離する大ばらしをしたい場合もある。
【０００８】
このような大ばらしやブラケットの分離に際しては、複数本の支柱がそれぞれロックピンにより抜け止めされた状態に連結されている。このため、上記の特許文献１から３のロックピンの解除方法のように、１本の支柱を軸周りに捻ることで係止部を連結孔から外す機構では不可能である。
【０００９】
このため、ロックピンの係止部を直接外側から押し込むことで、ほぞ部に挿入されている他の支柱の連結孔から外す作業が必要となるが、係止部はバネ板でほぞ部内壁側に付勢されているため、係止部の押圧を解除すると元の位置に戻り、係止部を押し込んで他の支柱の連結孔から外れた状態に維持することができない。このため、離れた場所にある複数の支柱の分離を一人で行うことは実質的に不可能であった。
【００１０】
一方で、係止部を収納した状態に維持することができるロックピンについては、特許文献４（特公昭３９−５３６号公報）などに開示されているが、これらのロックピンは機構が複雑なため、ほぞ部に収納する作業が煩雑であり、また、ロックピンと別部材で構成されている滑りカムが自由に移動可能な構成であるため、雑音の原因になっていた。
【００１１】
したがって、本発明が解決しようとする技術的課題は、容易に製造することができ、かつ、ロックピンを突出及び収納させた状態に維持することができる仮設足場用継ぎ手を提供することである。
【課題を解決するための手段】
【００１２】
本発明は、上記技術的課題を解決するために、以下の構成の仮設足場用継ぎ手を提供する。
【００１３】
本発明の第１態様によれば、第１の管体に設けられたほぞ部と、前記ほぞ部に外挿することで第１の管体と接続される第２の管体とを、前記ほぞ部及び第２の管体に設けられた貫通孔を貫通可能な係止部を備え、前記第１の管内に収納されるロックピンを用いて連結する仮設足場用継ぎ手において、
前記ロックピンは、
帯状板材を折り曲げて形成され、前記係止部を前記ほぞ部の内壁側に押圧するバネ板と、
前記バネ板に外向きに突出するように設けられ、押圧により前記係止部を進退可能なシフトノブとを備え、
前記第１の管体は、前記シフトノブの外径寸法に対して大きく構成され前記シフトノブを挿通可能なノブ孔を備えることを特徴とする、仮設足場用継ぎ手を提供する。
【００１４】
本発明の第２態様によれば、前記ノブ孔は、軸方向に長い長孔で構成されていることを特徴とする、第１態様の仮設足場用継ぎ手を提供する。
【００１５】
本発明の第３態様によれば、前記長孔は、前記係止部が貫通孔に挿入された状態で前記貫通孔側に隙間があるように構成されていることを特徴とする、第２態様の仮設足場用継ぎ手を提供する。
【００１６】
本発明の第４態様によれば、前記ロックピンのバネ板は、前記帯状板材を中間部でＵ字状に折り曲げて脚片が形成され、
前記係止部が前記脚片の先端近傍に設けられ、前記シフトノブが、前記脚片の前記係止部よりも基端側の位置に設けられており、
さらに、脚片の前記シフトノブよりも基端側の位置に補強部材が設けられていることを特徴とする、第１から第３態様のいずれか１つの仮設足場用継ぎ手を提供する。
【００１７】
本発明の第５態様によれば、前記補強部材は、前記脚片に左右方向に突出して設けられた幅広部分を折り返すことにより構成された補強リブであることを特徴とする、第４態様の仮設足場用継ぎ手を提供する。
【００１８】
本発明の第６態様によれば、前記ロックピンの係止部は、前記ほぞ部の先端側の面が斜面に構成されていることを特徴とする、第１から５態様のいずれか１つの仮設足場用継ぎ手を提供する。
【００１９】
本発明の第７態様によれば、前記ロックピンの係止部は、前記バネ板と別部材により構成されていることを特徴とする、第１から６態様のいずれか１つの仮設足場用継ぎ手を提供する。
【００２０】
本発明の第８態様によれば、前記シフトノブは、前記ロックピンよりも突出量が大きくなるように構成されていることを特徴とする、第１から第６態様のいずれか１つの仮設足場用継ぎ手を提供する。
【００２１】
本発明の第９態様によれば、前記シフトノブは、前記バネ板の中間部分を屈曲させて構成されていることを特徴とする、第１から第７態様のいずれか１つの仮設足場用継ぎ手を提供する。
【００２２】
本発明の第１０態様によれば、前記バネ板は、前記帯状板材を中間部でＵ字状に折り曲げて脚片が形成され、少なくとも一方の脚片に前記係止部と前記シフトノブを備えることを特徴とする、第１から第９態様のいずれか１つの仮設足場用継ぎ手。
【００２３】
本発明の第１１態様によれば、
ほぞ部を有する第１の管体と前記ほぞ部に外挿する第２の管体との仮設足場用継ぎ手の前記ほぞ部内に収納されて用いられ、前記第１と第２の管体の抜け止めのためのロックピンにおいて、
帯状板材を中間部で折り曲げて脚片が形成されたバネ板と、
前記少なくとも１つの脚片に突設され、前記ほぞ部及び第２の管体に設けられた貫通孔を貫通可能な係止部と、
前記係止部が設けられた脚片に外側に向けて突設され、前記ほぞ部に設けられたノブ孔よりも小さく構成され、前記ノブ孔挿通可能なシフトノブとを備えることを特徴とする、ロックピンを提供する。
【発明の効果】
【００２４】
本発明によれば、ロックピンに設けられたシフトノブは、大きく構成されたノブ孔に挿通しているため、ノブ孔内で移動可能である。シフトノブを動かすことでロックピンの位置をずらすことができ、これにより、係止部を貫通孔から外れた位置に移動させることができる。よって、係止部の貫通孔への非挿通状態を維持することができ、管体を分離させるための解除位置を維持することができる。また、ロックピンを移動させるノブ孔を長孔とすることで、シフトノブの移動が案内されるため、通常位置及びシフト位置への移動及び復帰が確実かつ容易である。
【００２５】
また、本発明の第３態様によれば、先端側に設けられている係止部に第２の管体が当接し、係止部を第２の管体の移動方向に外力が加わった場合でも、シフトノブが長孔に接触しているため、ロックピンが移動することがない。このため、管体の接続時における作業を確実に行うことができる。
【００２６】
また、本発明の第４態様によれば、シフトノブを脚片に設けているため、シフトノブを押圧することにより、同じ脚片に設けられている係止部が収納位置へ収まり、貫通孔から外しやすくなる。このため、ロックピンの移動を容易にすることができる。また、脚片は、シフトノブよりも基端側の位置に補強部材を備えているため、シフトノブの操作によって屈曲することなく、バネ板の中間部を支点として全体として移動する。これにより、シフトノブの操作によって係止部を貫通孔内で確実に進退させやすくなる。
【００２７】
また、本発明の第５態様によれば、前記ほぞ部の先端側の面が斜面に構成されているため、第２の管体をほぞ部に外挿する場合に、係合部が自動的に貫通孔内へ収納され、接続を容易にすることができる。また、シフトノブを操作してロックピンをほぞ部先端側に移動させる場合に、当該斜面により貫通孔から係止部を非挿通状態にしやすく、ロックピンのシフトを容易にすることができる。
【図面の簡単な説明】
【００２８】
【図１】本発明の第１実施形態にかかる仮設足場用継ぎ手の概略構成を示す斜視図である。
【図２】図１の仮設足場用継ぎ手の断面図である。
【図３】図１の仮設足場用継ぎ手に使用されるロックピンの構成を示す斜視図である。
【図４】図４のロックピンの係止部の構造を示す正面図である。
【図５】図４のロックピンのシフトノブの構造を示す正面図である。
【図６】図１の仮設足場用継ぎ手に使用されるロックピンの変形の態様を示す正面図である。
【図７】図１の仮設足場用継ぎ手に使用されるロックピンのシフトノブの移動前後の状態を示す図であり、（ａ）は通常位置にある場合、（ｂ）はシフト位置にある場合を示している。
【図８】第１の管体と第２の管体が接続される過程を示す仮設足場用継ぎ手の状態遷移図である。
【図９】ロックピンが移動した状態を示す図１の仮設足場用継ぎ手の断面図である。
【図１０】図１の仮設足場用継ぎ手に使用されるロックピンを移動させる過程を示す状態遷移図である。
【図１１】本発明の第２実施形態にかかる仮設足場用継ぎ手の概略構成を示す斜視図である。
【図１２】図１１の仮設足場用継ぎ手に使用されるロックピンの構成を示す斜視図である。
【図１３】本発明の第３実施形態にかかる仮設足場用継ぎ手に使用されるロックピンの構成を示す斜視図である。
【図１４】本発明の第４実施形態にかかる仮設足場用継ぎ手に使用されるロックピンの構成を示す斜視図である。
【図１５】本発明の第５実施形態にかかる仮設足場用継ぎ手の概略構成を示す断面図である。
【図１６】本発明の第１実施形態の変形例にかかる仮設足場用継ぎ手の概略構成を示す斜視図である。
【発明を実施するための形態】
【００２９】
以下、本発明の各実施形態に係る仮設足場用継ぎ手について、図面を参照しながら説明する。
【００３０】
（第１実施形態）
図１は、本発明の第１実施形態にかかる仮設足場用継ぎ手の概略構成を示す斜視図である。図２は、図１の仮設足場用継ぎ手の断面図である。本実施形態の仮設足場用継ぎ手１は、仮設足場を構成する第１の管体２及び第２の管体３をその軸方向に連結するための継ぎ手である。第１の管体２及び第２の管体３としては、仮設足場の支柱やブラケットなどに使用され、足場組み上げ時に主に垂直材として使用されるパイプ状の部材であり、筒状の管状本体２ａ，３ａと、管状本体２ａ，３ａの一端に設けられたほぞ部２ｂとを備えている。
【００３１】
ほぞ部２ｂは、本実施形態では、管状本体２ａの内径と略同寸法の外径を有するジョイント管４を管状本体２ａの一端側に挿入することで、管状本体２ａの下端から突出した状態に形成される。第１の管体２及び第２の管体３は、ほぞ部２ｂを他の管体３の端部に挿入することによって、連結される。
【００３２】
第１の管体２のほぞ部２ｂ及び第２の管体の挿入側端部３ｃの近傍には、それぞれ、抜け止め用の貫通孔５，６が設けられている。貫通孔５，６は、図２に示すように、両管体の連結時に重なるような軸方向位置に、径方向に対向する２箇所に設けられており、接続時に後述するロックピン１０の係止部１２が挿通することによって、両管体の分離が防止される。
【００３３】
また、管状本体２ａのほぞ部２ｂの近傍位置には、長孔７が設けられている。長孔７は、本発明のノブ孔の一例であり、貫通孔５と同じ周方向位相をなすように一対で設けられており、軸方向に長い形状となっている。
【００３４】
管体２，３のほぞ部２ｂが設けられている側の端部近傍には、管体の分離を防止するためのロックピン１０が管内に配置されている。
【００３５】
図３は、ロックピンの構成を示す斜視図である。ロックピン１０は、帯状の金属板を中間部から折り曲げ略Ｕ字状に構成されたバネ板１１と、バネ板１１の外側面に突出するように設けられた係止部１２及びシフトノブ１３とを備えている。
【００３６】
ロックピン１０は、図２に示すように、両端が近づく方向に変形させてバネ板１１の基端部側からほぞ部２ｂ内に挿入され、それぞれ、係止部２が貫通孔５に、シフトノブ１３が長孔７に挿通するように配置される。このため、ロックピン１０の管体への取り付け作業は、ロックピンの挿入のみですみ、ロックピン１０の取り付け及び管体の製造が容易である。
【００３７】
本実施形態では、係止部１２が貫通孔５に挿通している通常位置においては、シフトノブ１３は長孔７の先端側の周縁７ａとの間に隙間が形成されるように設計されている。
【００３８】
バネ板１１は、帯状の金属板を中央部分１１ａで折り曲げることによりその両側に脚片１１ｂが形成される。脚片１１ｂは、その周縁に沿って補強リブなどを設けて強度を向上させるように構成することもできる。
【００３９】
脚片１１ｂの外側面の先端近傍に設けられた係止部１２は、両管体の連結時に貫通孔５，６の双方に挿通することで、管体の分離を防止する。なお、図６に示すように、脚片１１ｂの係止部１２より先端側は、わずかに内側に屈曲しており、ほぞ部２ｂの内壁と脚片１１ｂの先端とが干渉しないように構成されている。
【００４０】
係止部１２は、図３及び図４に示すように、略円錐台形状に構成された突起で構成されており、ほぞ部２ｂの先端側に配置される傾斜面１２ａとほぞ部２ｂの基端側に位置する係止面１２ｂとを備えている。傾斜面１２ａのほぞ部２ｂ先端側は、バネ板１１外面に対して略垂直に構成されたずれ防止面１２ｃが設けられている。ずれ防止面１２ｃは、ほぞ部２ｂの貫通孔５の周縁５ａに係止することで、後述するロックピン１０の位置ずれを防止すると共に、シフト時にその係合が外れてロックピンのシフトを可能にするものである。
【００４１】
係止部１２は、ほぞ部２ｂ先端側から挿入される第２の管体３の挿入に応じて当該管体挿入端３ｃによって傾斜面１２ａがほぞ部２ｂ内径側に押圧されるとともに、係止部１２が貫通孔６に挿入された後は、図２に示すように、係止面１２ｂにより、両管体が分離する方向に移動することを規制する。
【００４２】
本実施形態では、係止部１２はバネ板１１とは別部材に構成され、バネ板１１の外面側から挿入して裏面側で固定用カシメ１２ｄにより固定されている。なお、係止部１２は、バネ板１１と同じ金属板で一体的に構成されていてもよく、例えば、バネ板１２先端側に幅方向に突出して構成された突状片をバネ板外面側に折り返すことにより作成することも可能である。
【００４３】
シフトノブ１３は、バネ板１１の各脚片１１ｂの基端側に設けられており、円筒形状の突起で構成されている。シフトノブ１３の突起１３ａの高さＬ２は、係止部１２の高さＬ１よりも長く構成されており、ロックピン１０の装着時において、長孔７から十分に突出可能な長さに設けられている。また、突起１３ａの径寸法は、長孔７の幅寸法よりも若干小さく設けられている。
【００４４】
本実施形態では、シフトノブ１３は、バネ板とは別部材に構成された円柱状の部材であり、バネ板１１の外面側から挿入して裏面側で固定用カシメ１３ｂにより固定されている。なお、シフトノブ１３も、バネ板１１と同じ金属板で一体的に構成されていてもよく、例えば、バネ板１１に幅方向に突出して構成された突状片をバネ板外面側に折り返すことにより作成することも可能である。
【００４５】
ロックピン１０は、図６に示すように、シフトノブ１３を両側方から矢印９０に示すように内側に押し込むことで、破線で示す脚片１１ｂが互いに近接するように係止部と一体的に移動する。
【００４６】
また、図７ａに示すように、ロックピン１０が第１の管体２内に装着された状態で、長孔７から突出しているシフトノブ１３の突起表面１３ｃを押し込むことで、係止部１２のずれ防止面１２ｃと貫通孔５の周縁５ａとの係止が外れ、矢印９１に示すように、シフトノブ１３を長孔７に沿って移動させることで、図７（ｂ）に示すように、ロックピン１０全体がシフトする。
【００４７】
また、当該ロックピン１０のシフト時においては、シフトノブ１３の表面を押圧した状態で矢印９１に示すように図示下側にロックピン１０を移動させることになるが、当該シフト時において、係止部１２の傾斜面１２ａが貫通孔５の周縁５ａに沿って押圧されるため、脚片１１ｂを内側へ屈曲させることとなるため、ロックピン１０のシフトのために必要な力が小さくてすむ。
【００４８】
上記構成の本実施形態にかかる仮設足場用継ぎ手は、下記のように使用される。まず、両管体を接続する場合は、図８（ａ）に示すように、第１の管体２のほぞ部２ｂに第２の管体３を差し込み、第２の管体３を深く移動させる。矢印９２ａに示すように、第２の管体の挿入が進み、挿入側端部３ｃが、係止部１２の傾斜面１２に当接すると、挿入側端部３ｃによって係止部１２の傾斜面１２ａが押されることによって、ロックピン１０の脚片１１ｂが矢印９２ｂに示すように、内側に移動する（図８（ｂ）参照）。
【００４９】
なお、このとき、図８（ｃ）の矢印９３に示すように、第２の管体３の移動によって、ロックピン１０に上向きに押されるが、シフトノブ１３が長孔７の基端側の周縁７ｂに当たるため、ロックピンが上に移動することがない。このため、管体の接続作業時にロックピン１０の位置が不用意に移動することが防止される。
【００５０】
図８（ｄ）に示すように、第２の管体３がほぞ部２ｂに深く外挿され、それぞれの貫通孔５，６が重なった位置にまで到達すると、矢印９４に示すように、バネ板１１により外側に付勢されている係止部１２が元の位置に戻る。この位置では、上述のとおり、それぞれの貫通孔５，６に係止部１２が挿通され、係止部１２の係止面１２ｂが貫通孔６の周縁に係止することで、第２の管体３の分離が規制された状態に両管体が接続される。
【００５１】
図９は、ロックピンが移動した状態を示す本実施形態にかかる仮設足場用継ぎ手の断面図である。図１０は、図１の仮設足場用継ぎ手に使用されるロックピンを移動させる過程を示す状態遷移図である。本実施形態の仮設足場用継ぎ手１は、図９及び図１０（ａ）の矢印９５ａに示すようにロックピン１０のシフトノブ１３を内側へ押すことで、脚片１１ｂが内側に撓み、矢印９５ｂに示すように係止部１２が第２の管体３の貫通孔６から外れるため、第２の管体３の分離を行なうことができる。このため、第１及び第２の管体２，３を捻ることなく、簡単に分離作業を行うことができる。
【００５２】
また、シフトノブ１３を押し込んだ状態で、図１０（ｂ）に示すように、矢印９６ａに示すように、シフトノブ１３を長孔７に沿って下側に下げることで、ロックピン１０も矢印９６ｂも下側に移動する。この際、係止部１２のずれ防止面１２ｃは、貫通孔５の周縁５ａとの係止が外れているため、ロックピン１０のシフトが可能となる。また、傾斜面１２ａが周縁５ａに沿って当接するため、係止部１２を案内して内側への移動をスムーズにする。
【００５３】
また、図１０（ｃ）に示すように、また、係止部１２が貫通孔５を外れる位置までロックピン１０が下側にシフトすると、シフトノブ１３の押圧を解除しても、ロックピン１０が外側に戻ることがなく、第１及び第２の管体２，３の係止が解除された状態が維持される。
【００５４】
また、ロックピン１０のシフトにより、管体の係止が解除された状態を維持することができるため、ブラケットなどや大ばらし等においても解除作業を容易にすることができ、離れた場所にある複数の支柱の分離を一人で行うことが可能となる。
【００５５】
また、本実施形態にかかる仮設足場用継ぎ手は、ロックピンのシフト方向は、係止部の傾斜面に沿った方向に移動させるため、ロックピンのシフト作業を容易にすることができ、また、管体接続時に、長孔によってシフトノブの奧方向への移動が規制されるため、ロックピンの不用意な位置ずれの問題を起こすことがない。なお、本実施形態では、ほぞ部２ｂが管体の下端側に設けられている例で説明をしているが、ほぞ部が管体の上端側に設けられていても同様の構成で適用可能である。
【００５６】
（第２実施形態）
図１１は、本発明の第２実施形態にかかる仮設足場用継ぎ手の概略構成を示す斜視図である。本実施形態の仮設足場用継ぎ手２１は、仮設足場を構成する第１の管体２及び第２の管体３をその軸方向に連結するための継ぎ手である。第１の管体２及び第２の管体３としては、仮設足場の支柱やブラケットなどに使用され、足場組み上げ時に主に垂直材として使用されるパイプ状の部材であり、筒状の管状本体２ａ，３ａの一端にほぞ部２ｂを備えている。本実施形態の管体２，３は、ほぞ部２ｂが上端側に位置するように使用される。
【００５７】
第１の管体２のほぞ部２ｂ及び第２の管体の挿入側端部３ｃの近傍には、それぞれ、抜け止め用の貫通孔１５，１６が設けられている。また、管状本体２ａのほぞ部２ｂの近傍位置には、軸方向に長い長孔１７が設けられている。
【００５８】
管体２，３のほぞ部２ｂが設けられている側の端部近傍には管体の分離を防止するためのロックピン２０が管内に配置されている。
【００５９】
図１２は、本実施形態のロックピンの構成を示す斜視図である。ロックピン２０は、帯状の金属板を中間部から折り曲げ略Ｕ字状に構成されたバネ板２０ａと、バネ板２０ａの外側面に突出するように設けられた係止部２２及びシフトノブ２３とを備え、バネ板２０ａの基端部側が下向きになるようにほぞ部２ｂ内に挿入されている。
【００６０】
バネ板２０ａの脚片２１ｂは、第１実施形態のものと較べて長く構成されており、係止部２２及びシフトノブ２３は、脚片２１ｂの先端側に寄せて配置されている。シフトノブ２３を先端側に寄せて配置することで、バネ板２０ａの変形のための押圧力が小さくてすむ。
【００６１】
本実施形態では、上記の通り、脚片２１ｂが長く構成されてバネ板の変形が容易であるため、係止部２２は、傾斜面２２ａと係止面２２ｂとを備えた略円錐台形状の突起で構成されており、ずれ防止面２２ｃが第１実施形態よりも大きく構成されている。
【００６２】
本実施形態にかかるロックピンもロックピン２０が第１の管体２内に装着された状態で、長孔１７から突出しているシフトノブ２３の突起表面２３ｃを押し込むことで、係止部２２のずれ防止面２２ｃと貫通孔１５の周縁１５ａとの係止が外れ、ロックピン１０全体をシフトさせることができる。
【００６３】
なお、本実施形態においては、係止部１２とシフトノブ１３の位置が近接しており、貫通孔５と長孔７とを話して配置するため、長孔７は、通常位置のシフトノブ１３がほぞ部側の周縁１７ａに近接し、基端側に隙間が形成されるように設計されている。
【００６４】
本実施形態では、シフトノブ２３を押し込んだ状態で、シフトノブ２３を長孔１７に沿って基端側，すなわち下側に下げることで、ロックピン２０も下側に移動する。この際、係止部２２のずれ防止面２２ｃは、貫通孔１５の周縁５ａとの係止が外れているため、ロックピン２０のシフトが可能となる。なお、係止部２２が貫通孔１５から完全に外れるまで、脚片２１ｂを押し込む必要があるが、上記の通り、シフトノブの位置が、脚片２１ｂの先端側に位置するため、ロックピン２０の変形のために必要な力が少なくてもよい。
【００６５】
（第３実施形態）
図１３は、本発明の第３実施形態にかかる仮設足場用継ぎ手に用いられるロックピンの構成を示す斜視図である。本実施形態にかかる仮設足場用継ぎ手は、第１の管体２及び第２の管体３のほぞ部２ｂに配置されるロックピンが異なっている。
【００６６】
ロックピン３０は、図１３に示すように、帯状の金属板を中間部から折り曲げ略Ｕ字状に構成されたバネ板３１で構成される。
【００６７】
ロックピン３０は、第１及び第２実施形態のロックピンと同様に、両端が近づく方向に変形させた状態でバネ板３１の基端部側からほぞ部２ｂ内に挿入され、それぞれ、係止部３２が貫通孔５に、シフトノブ３３が長孔７に挿通するように配置される。
【００６８】
バネ板３１は、帯状の金属板を中央部分３１ａで折り曲げることによりその両側に脚片３１ｂが形成される。脚片３１ｂは、中間部分の周縁に補強リブ３１ｃが設けられている。本実施形態では、補強リブ３１ｃは、金属板の中央部分を幅広に構成し、当該幅広部分を内面側に折り返すことにより構成される。
【００６９】
脚片３１ｂの外側面には、上記の通り、係止部３２及びシフトノブ３３が設けられている。
【００７０】
本実施形態では、係止部３２はバネ板３１とは一体的に構成され、バネ板３１の先端側に幅方向に突出して構成された突状片をバネ板外面側に折り返すことにより作成される。
【００７１】
シフトノブ３３は、バネ板３１の各脚片３１ｂの中間部分に設けられており、本実施形態では、バネ板と一体的に構成されている。具体的には、バネ板３１の脚片３１ｂの中間部分を外側方向に突出するように折り曲げ、外側に突出させることにより、構成されている。
【００７２】
本実施形態では、シフトノブ３３及び係止部３２がバネ板３１と一体的に構成されており、当該バネ板３１に対して折り返すことにより作成可能であるため、ロックピン３０を容易に製造することができる。
【００７３】
また、バネ板３１の脚片３１ｂに補強リブ３１ｃを備えるため、シフトノブ３３の操作によって、脚片３１ｂが途中で撓むことがなく、脚片３１ｂの形状を保ったまま全体として移動させることができる。これにより、シフトノブ３３の操作によって係止部３２を貫通孔から進退させやすく、操作が容易となる。
【００７４】
このように、本発明の各実施形態によれば、軸方向に沿って伸びる長孔に沿ってシフトノブを移動させることで、ロックピンの係止部が貫通孔から外れるようにロックピンをシフトさせて管体の分離解除状態を維持することができる。
【００７５】
(第４実施形態)
図１４は、本発明の第４実施形態にかかる仮設足場用継ぎ手に用いられるロックピンの構成を示す斜視図である。本実施形態にかかる仮設足場用継ぎ手は、第１の管体２及び第２の管体３のほぞ部２ｂに配置されるロックピンが異なっている。
【００７６】
ロックピン４０は、図１４に示すように、帯状の金属板を中間部から略Ｕ字状に折り曲げ、両側に脚片４１ｂが構成されたバネ板４１で構成される。
【００７７】
ロックピン４０は、第３実施形態のロックピンと同様に、両端が近づく方向に変形させた状態でバネ板４１の基端部側からほぞ部２ｂ内に挿入され、それぞれ、係止部４２が貫通孔５に、シフトノブ４３が長孔７に挿通するように配置される。
【００７８】
の外側面には、上記の通り、係止部４２及びシフトノブ４３が設けられている。本実施形態では、係止部とシフトノブ４３は、一方の脚片４１ｂのみに設けられている。
【００７９】
このように、本発明の各実施形態によれば、軸方向に沿って伸びる長孔に沿ってシフトノブを移動させることで、ロックピンの係止部が貫通孔から外れるようにロックピンをシフトさせて管体の分離解除状態を維持することができる。
【００８０】
また、シフトノブ４３が一方の脚片４１ｂのみに設けられてるため、ロックピンの移動動作がしやすく、作業性がよい。
【００８１】
(第５実施形態)
図１５は、本発明の第５実施形態にかかる仮設足場用継ぎ手の概略構成を示す断面図である。本実施形態の仮設足場用継ぎ手５１は、仮設足場を構成する第１の管体２及び第２の管体３をその軸方向に連結するための継ぎ手である。第１の管体２及び第２の管体３としては、仮設足場の支柱やブラケットなどに使用され、足場組み上げ時に主に垂直材として使用されるパイプ状の部材であり、筒状の管状本体２ａ，３ａの一端にほぞ部２ｂを備えている。本実施形態の管体２，３は、ほぞ部２ｂが上端側に位置するように使用される。
【００８２】
第１の管体２のほぞ部２ｂ及び第２の管体の挿入側端部３ｃの近傍には、それぞれ、抜け止め用の貫通孔１５，１６が設けられている。また、管状本体２ａのほぞ部２ｂの近傍位置には、軸方向に長い長孔１７が設けられている。
【００８３】
管体２，３のほぞ部２ｂが設けられている側の端部近傍には管体の分離を防止するためのロックピン５０が管内に配置されている。
【００８４】
ロックピン５０は、帯状の金属板を円弧状に撓ませて構成されたバネ板５０ａと、バネ板５０ａの外側面に突出するように設けられた係止部５２及びシフトノブ５３とを備え、係止部５２及びシフトノブ５３が第１の管体２の内壁側になるようにほぞ部２ｂ内に挿入されている。
【００８５】
本実施形態では、シフトノブ５３を押し込んだ状態で、シフトノブ５３を長孔１７に沿って先端側、すなわち上側に移動させることで、ロックピン５０が全体として移動する。この際、係止部５２は、貫通孔１５から外れることとなる。
【００８６】
なお、本発明は上記実施形態に限定されるものではなく、その他種々の態様で実施可能である。例えば、ロックピンのシフトは、上記各実施形態では、ほぞ部の軸方向に沿ってシフトするように構成されているが、図１６に示すように、周方向に回転させるように構成されていてもよい。また、これらのロックピン１０，２０の形状やシフトの方向に応じて、シフトノブ１３，２３を案内する長孔７，１７の形状を決定する。
【符号の説明】
【００８７】
１，２１  仮設足場用継ぎ手
２  第１の管体
２ａ  管状本体
２ｂ  ほぞ部
３  第２の管体
３ａ  管状本体
３ｃ  挿入側端部
４  ジョイント管
５，６，１５，１６  貫通孔
７，１７，５７  長孔
７ａ，１７ａ  先端側の周縁
１０，２０，３０，４０  ロックピン
１１，２１，３１，４１  バネ板
１１ａ  中央部分
１１ｂ，２１ｂ，３１ｂ，４１ｂ  脚片
１２，２２，３２，４２  係止部
１２ａ，２２ａ  傾斜面
１２ｂ，２２ｂ  係止面
１２ｃ，２２ｃ  ずれ防止面
１２ｄ  固定用カシメ
１３，２３，３３，４３  シフトノブ
１３ａ  突起
１３ｂ  固定用カシメ
３１ｃ，４１ｃ  補強リブ
【図１】
2017180074.tif 000003
【図２】
2017180074.tif 000004
【図３】
2017180074.tif 000005
【図４】
2017180074.tif 000006
【図５】
2017180074.tif 000007
【図６】
2017180074.tif 000008
【図７】
2017180074.tif 000009
【図８】
2017180074.tif 000010
【図９】
2017180074.tif 000011
【図１０】
2017180074.tif 000012
【図１１】
2017180074.tif 000013
【図１２】
2017180074.tif 000014
【図１３】
2017180074.tif 000015
【図１４】
2017180074.tif 000016
【図１５】
2017180074.tif 000017
【図１６】
2017180074.tif 000018